(57)【要約】【課題】自動変速機の変速時に実際のエンジンの変化音とエンジン回転数表示装置の表示の変化（針の動き）の違いから来るドライバの違和感を緩和する。【解決手段】エンジンと、エンジンと車輪との間の動力伝達経路上に配設される自動変速機と、エンジンの回転数を検出するするエンジン回転数検出部と、エンジンの回転数を表示するエンジン回転数表示部と、エンジン回転数検出部において検出された実エンジン回転数には依存しないエンジンの仮想回転数に基づいてエンジン回転数表示部を制御する制御装置とを備えた車両のエンジン回転数表示装置において、制御装置は、車両状態に応じて、自動変速機の変速時に実エンジン回転数と仮想回転数との差回転が所定範囲内に収まるように、仮想回転数の変化特性を変更する。【選択図】図３
2015161654.tif 000002
【特許請求の範囲】
【請求項１】
エンジンと、
前記エンジンと車輪との間の動力伝達経路上に配設される自動変速機と、
前記エンジンの回転数を検出するするエンジン回転数検出部と、
前記エンジンの回転数を表示するエンジン回転数表示部と、
前記エンジン回転数検出部において検出された実エンジン回転数には依存しない前記エンジンの仮想回転数に基づいて前記エンジン回転数表示部を制御する制御装置と、
を備えた車両のエンジン回転数表示装置であって、
前記制御装置は、
車両状態に応じて、前記自動変速機の変速時に前記実エンジン回転数と前記仮想回転数との差回転が所定範囲内に収まるように、前記仮想回転数の変化特性を変更する、
ことを特徴とする車両のエンジン回転数表示装置。
【請求項２】
前記エンジンと前記自動変速機との間を断接する断接要素を備え、
前記制御装置は、
前記車両状態として前記断接要素の締結度合いに応じて、前記仮想回転数の変化特性を変更する、
ことを特徴とする請求項１に記載の車両のエンジン回転数表示装置。
【請求項３】
前記制御装置は、
前記断接要素が解放状態にあるとき、前記仮想回転数に代えて前記実エンジン数回転数に基づいて前記エンジン回転数表示部を制御する、
ことを特徴とする請求項２に記載の車両のエンジン回転数表示装置。
【請求項４】
前記制御装置は、
前記実エンジン回転数が変速後の目標回転数に向けて変化を開始したときに前記仮想回転数に基づく前記エンジン回転数表示部の制御を開始する
ことを特徴とする請求項１乃至請求項３のいずれかに記載の車両のエンジン回転数表示装置。
【請求項５】
エンジンと、
前記エンジンと車輪との間の動力伝達経路上に配設される自動変速機と、
前記エンジンの回転数を表示するエンジン回転数表示部と、
を備え、前記エンジンの実エンジン回転数には依存しない前記エンジンの仮想回転数に基づいて前記エンジン回転数表示部を制御する車両のエンジン回転数表示方法であって、
車両状態に応じて、前記自動変速機の変速時に前記実エンジン回転数と前記仮想回転数との差回転が所定範囲内に収まるように、前記仮想回転数の変化特性を変更する、
ことを特徴とする車両のエンジン回転数表示方法。
【発明の詳細な説明】
【技術分野】
【０００１】
本発明は、車両のエンジン回転数表示装置及びその表示方法に関し、特に、自動変速機の変速時のエンジン回転数表示装置の制御に関する。
【背景技術】
【０００２】
従来から、車両のエンジンの回転数を表示するためのエンジン回転数表示装置（タコメータ、レブカウンタ）が車室内に設けられており、ドライバがエンジン回転数を認識できるようになっている。エンジン回転数表示装置は、エンジン回転数センサから出力される実エンジン回転数信号に応じて、エンジン回転数表示装置を制御する。
【０００３】
エンジン回転数信号は、エンジン回転の微小な変動が反映されているため、このエンジン回転数信号をそのままエンジン回転数表示装置に表示させると、エンジン回転数の表示が微小に変動しつづけることになるため、エンジン回転数表示装置の視認性が悪化する。
【０００４】
そこで、このような視認性悪化を防止すべく、エンジン回転数センサから出力された回転数信号に対するエンジン回転数表示装置の表示の応答性を低下させる処理、いわゆる、なまし処理が従来から行われている（例えば、特許文献１を参照。）。
【０００５】
ところで、ドライバは、変速時においてエンジン回転数の鋭い変化を期待している。すなわち、高性能の自動変速機の特徴として変速動作の速さがあり、ドライバは、この変速動作の速さをエンジン回転数表示装置の表示に反映されることを期待している。
【０００６】
特許文献２には、変速指令時（マニュアル変速操作等）に、実際のエンジン回転数に依存しない仮想回転数に基づいてエンジン回転数表示装置を制御することが開示されている。
【０００７】
特許文献２の技術によれば、変速時のドライバの期待に適合させた仮想回転数に基づいてエンジン回転数表示装置を制御することができるので、ドライバに不快感を与えるのを防ぐことができる。
【先行技術文献】
【特許文献】
【０００８】
【特許文献１】特開平１−１５４１９５号公報
【特許文献２】特開２００６−２２０４８２号公報
【発明の概要】
【発明が解決しようとする課題】
【０００９】
変速時のエンジン回転数の変化特性は、車両状態に応じて大きく異なる。例えば、冷間時にはＡＴＦ（登録商標）の高い粘性により変速時間が長くなることや、ソレノイド弁温度の違いによる応答時間が変わることや、ロックアップクラッチの締結状態の違いや、エンジンの補機（オルタネータ、エアコン等）の駆動状態による違い、がある。
【００１０】
したがって、車両状態に関係なく、固定の仮想回転数に基づいてエンジン回転数表示装置が制御される場合には、実際のエンジン回転数（実エンジン回転数）と仮想回転数との差異が大きくなるそれがあり、特に、エンジン回転数表示装置の表示の変化（針の動き）と実際のエンジンの変化音との違いから、ドライバに違和感を与えるおそれがある。
【００１１】
本発明は、かかる点に鑑みてなされたものであり、その課題とするところは、自動変速機の変速時に実際のエンジンの変化音とエンジン回転数表示装置の表示の変化（針の動き）の違いから来るドライバの違和感を緩和する技術を提供することにある。
【課題を解決するための手段】
【００１２】
上記の課題を解決するために、本発明は、車両状態に応じて、自動変速機の変速時に実エンジン回転数と仮想回転数との差回転が所定範囲内に収まるように、仮想回転数の変化特性を変更することを特徴とする。
【００１３】
具体的には、本発明は、車両のエンジン回転数表示装置及びエンジン回転数表示方法を対象とし、次のような解決手段を講じた。
【００１４】
すなわち、第１の発明は、エンジンと、エンジンと車輪との間の動力伝達経路上に配設される自動変速機と、エンジンの回転数を検出するするエンジン回転数検出部と、エンジンの回転数を表示するエンジン回転数表示部と、エンジン回転数検出部において検出された実エンジン回転数には依存しないエンジンの仮想回転数に基づいてエンジン回転数表示部を制御する制御装置とを備えた車両のエンジン回転数表示装置を対象とし、制御装置は、車両状態に応じて、自動変速機の変速時に実エンジン回転数と仮想回転数との差回転が所定範囲内に収まるように、仮想回転数の変化特性を変更するものである。
【００１５】
これによれば、車両状態に応じて変速時の実エンジン回転数の変化特性を判定し、この判定された実エンジン回転数の変化特性に応じて仮想回転数が変更されるため、実エンジン回転数と仮想回転数との差回転が所定範囲よりも大きくなってドライバに違和感を与えるのを抑制することができる。
【００１６】
第２の発明は、上記第１の発明において、エンジンと自動変速機との間を断接する断接要素を備え、制御装置は、車両状態として断接要素の締結度合いに応じて、仮想回転数の変化特性を変更するものである。
【００１７】
これによれば、断接要素の締結度合いに応じて変速時の実エンジン回転数の変化特性が大きく変化するところ、断接要素の締結度合いに応じて仮想回転数の変化特性が変更されるため、実エンジン回転数と仮想回転数との差回転が大きくなるのを防止することができる。
【００１８】
第３の発明は、上記第２の発明において、制御装置は、断接要素が解放状態にあるとき、仮想回転数に代えて実エンジン数回転数に基づいてエンジン回転数表示部を制御するものである。
【００１９】
これによれば、断接要素が解放状態になる場合には特に実エンジン回転数の変化が緩慢になり仮想回転数との差回転が非常に大きくなるところ、断接要素が解放状態において仮想回転数に代えて実エンジン回転数に基づいてエンジン回転数表示部が制御されるため、変速時に実際のエンジンの変化音とエンジン回転数表示装置の表示の変化（針の動き）の違いから来るドライバの違和感を緩和することができる。
【００２０】
第４の発明は、上記第１乃至第３のいずれかの発明において、制御装置は、実エンジン回転数が変速後の目標回転数に向けて変化を開始したときに仮想回転数に基づくエンジン回転数表示部の制御を開始するものである。
【００２１】
これによれば、車両状態に応じて変速による実エンジン回転数の変化タイミングも変わるところ、変速による実エンジン回転数の変化タイミングに合わせて仮想回転数が変化するため、実エンジン回転数と仮想回転数との差回転が大きくなるのを抑制することができる。
【００２２】
第５の発明は、エンジンと、エンジンと車輪との間の動力伝達経路上に配設される自動変速機と、エンジンの回転数を表示するエンジン回転数表示部とを備え、エンジンの実エンジン回転数には依存しないエンジンの仮想回転数に基づいてエンジン回転数表示部を制御する車両のエンジン回転数表示方法を対象とし、車両状態に応じて、自動変速機の変速時に実エンジン回転数と前記仮想回転数との差回転が所定範囲内に収まるように、仮想回転数の変化特性を変更するものである。
【００２３】
これによれば、車両状態に応じて変速時の実エンジン回転数の変化特性を判定し、この判定された実エンジン回転数の変化特性に応じて仮想回転数が変更されるため、実エンジン回転数と仮想回転数との差回転が所定範囲よりも大きくなってドライバに違和感を与えるのを抑制することができる。
【発明の効果】
【００２４】
本発明によれば、自動変速機の変速時に実際のエンジンの変化音とエンジン回転数表示装置の表示の変化（針の動き）の違いから来るドライバの違和感を緩和することができる。
【図面の簡単な説明】
【００２５】
【図１】本発明の実施形態１に係る車両のエンジン回転数表示装置を示す概略的なブロック図である。
【図２】本発明の実施形態１に係る車両のエンジン回転数表示方法を示すフローチャートである。
【図３】本発明の実施形態１に係る車両のエンジン回転数表示方法を示すタイミングチャートである。
【図４】本発明の実施形態２に係る車両のエンジン回転数表示方法を示すフローチャートである。
【図５】本発明の実施形態２に係る車両のエンジン回転数表示方法を示すタイミングチャートである。
【発明を実施するための形態】
【００２６】
以下、本発明の実施形態を図面に基づいて詳細に説明する。以下の好ましい実施形態の説明は、本質的に例示に過ぎず、本発明、その適用物或いはその用途を制限することを意図するものではない。
【００２７】
（実施形態１）
本発明の実施形態１に係る車両のエンジン回転数表示装置及びエンジン回転数表示方法について図面を参照しながら説明する。
【００２８】
図１は本実施形態に係る車両のエンジン回転数表示装置の構成要素を概略的に示している。
【００２９】
図１に示すように、本実施形態に係る車両は、例えば、エンジン３１と、変速機構（自動変速機）３２と、ロックアップクラッチ（断接要素）３３と、コントロールユニット（制御装置）１０とを備えている。コントロールユニット１０は、それぞれ所定の検出信号をコントロールユニット１０に出力する各種センサ２１〜２６と接続されており、また、各種センサ２１〜２６からの入力信号に基づいて制御され、機械式の針によりエンジンの回転数を表示する機械式のタコメータ（エンジン回転数表示部）３４と接続されている。なお、本実施形態においては、タコメータ３４に、機械式の針を持つ機械式のタコメータを例として挙げたが、これに限られない。例えば、液晶画面等にアナログ式の針を指針として表示（発光）する形態のタコメータでもよく、また、液晶画面等に指針を用いず、バーグラフとして所定回転数ごとに複数のセグメントに分割されて表示（発光）する形態のタコメータでもよい。
【００３０】
各種センサは、エンジン３１の出力軸の回転数を検出するエンジン回転数センサ（エンジン回転数検出部）２１、エンジン３１から変速機構３２への入力回転数を検出するタービン回転数センサ２２、アクセル（スロットル）の開度を検出するアクセル開度センサ２３、車軸（ドライブシャフト）等から車速を検出する車速センサ２４、変速機構３２におけるシフトレンジを検出するレンジセンサ２５、及びＡＴＦ（登録商標）の温度を検出するＡＴＦ温度センサ２６を含んでいる。
【００３１】
コントロールユニット１０は、エンジン３１の出力等を制御するエンジンコントロールユニット１１と、変速機構３２の動作を制御するＡＴコントロールユニット１２と、タコメータ３４に加え、図示しない速度メータ及び水温メータ等を制御するメータコントロールユニット１３とを含んでいる。
【００３２】
次に、本実施形態に係る車両のエンジン回転数表示方法におけるフローチャート及びタイミングチャートについて図１、図２及び図３を参照しながら説明する。
【００３３】
図２は車両のエンジン回転数表示方法を表すフローチャートであり、図３はそのタイミングチャートである。
【００３４】
図２に示すように、まず、車両のイグニッションキースイッチをオン状態とすると、ステップＳ０１において、コントロールユニット１０は、各種センサ２１〜２６等からそれぞれの信号を読み込む。
【００３５】
次に、ステップＳ０２において、車速センサ２４からの車速検出信号によって、車両が走行中か否かを判定する。本実施形態においては、例えば、車速検出信号が１０ｋｍ／ｈ以上を示す場合を走行中と判定し、車速検出信号が１０ｋｍ／ｈ未満を示す場合を走行中でないと判定する。走行中でないと判定された場合は、ステップＳ１１において、エンジン回転数センサ２１からの実エンジン回転数信号に基づき、タコメータ３４に対して非変速時の制御を行う。また、車両が走行中と判定された場合は、次のステップＳ０３に進む。
【００３６】
次に、ステップＳ０３において、変速機構３２に対して変速指令が出力されたか否かを判定する。変速指令の有無は、アクセル操作又はマニュアル操作に従って、例えば、エンジン回転数センサ２１、タービン回転数センサ２２、アクセル開度センサ２３、車速センサ２４及びレンジセンサ２５からの各出力信号のうちの少なくとも１つの信号によって判定することができる。ここで、変速指令が出力されていないと判定された場合は、ステップＳ１１に進み、タコメータ３４に対して非変速時の制御を行う。また、変速指令が出力されていると判定された場合は、次のステップＳ０４に進む。
【００３７】
次に、ステップＳ０４において、変速機構３２における変速中の２つのフェーズであるトルクフェーズ及びイナーシャフェーズのうちのイナーシャフェーズが開始されたか否かを判定する。イナーシャフェーズが開始されていないと判定された場合は、再度、ステップＳ０４に戻る。すなわち、ステップＳ０４においては、図３に示すように、変速指令を受信した後のトルクフェーズからイナーシャフェーズが開始されるまで待つ（ウェイト）。イナーシャフェーズが開始されたという判定は、例えば、エンジン回転数センサ２１からのエンジン回転数検出信号が変速後の目標回転数に向けて変化を開始したか否かによって行うことができる。イナーシャフェーズが開始されたと判定された場合は、次のステップＳ０５に進む。なお、一変形例として、イナーシャフェーズの開始の判定は、ループによる所定時間のウェイトに代えて、該所定時間だけウェイトするタイマを設定してもよい。
【００３８】
次に、ステップＳ０５において、図３に示すように、メータコントロールユニット１３は、各変速に合わせて予め設定され、かつ、実エンジン回転数に依存しない仮想回転数に基づいてタコメータ３４に対する制御を開始する。なお、仮想回転数に基づくタコメータ制御はイナーシャフェーズの開始と同時に限られず、それよりも若干早いタイミングで開始してもよい。
【００３９】
次に、ステップＳ０６において、断接要素（ロックアップクラッチ３３）の締結度合いを判定する。当該締結度合いは、例えば、ロックアップクラッチ３３を駆動する図示しないソレノイドに対する制御信号から判定することができる。断接要素の締結度合いに応じてエンジン３１の負荷状況が変わり、それに応じて実エンジン回転数の変化特性も変わる。すなわち、断接要素の締結度合いが大きい又は完全に締結していれば、実エンジン回転数はタービン回転数に対してほぼ一定の差回転で変化する。これに対して、断接要素の締結度合いが小さい又は完全に解放していれば、図３に示したように、実エンジン回転数はタービン回転数の変化に対して緩慢に変化する。したがって、ステップＳ０６において断接要素の締結度合いを判定することで、実質的には、実エンジン回転数の変化特性を判定している。本実施形態におけるエンジン３１の負荷状況が、特許請求の範囲における車両状態に相当する。
【００４０】
なお、変速時の車両状態は、断接要素の締結度合いだけではなくその他の要因によっても変わり得る。例えば、ＡＴＦの粘性、ソレノイド弁温度、図示しないオルタネータやエアコンなどの補機の動作状態に応じて変わり得る。したがって、一変形例として、ステップＳ０６において、ＡＴＦ温度センサ２６からの温度検出信号や、図示しない補機の動作状態に応じて実エンジン回転数の変化特性を判定してもよい。
【００４１】
次に、ステップＳ０７において、断接要素の締結度合いに応じて仮想回転数の変化特性を設定する。具体的には、図３に示したように、変速時に実エンジン回転数と仮想回転数との差回転が所定範囲内に収まるように、仮想回転数の変化特性を変更（補正）する。図３の例では、緩慢に変化する実エンジン回転数に仮想回転数が近づくように、仮想回転数の変化勾配を緩やかに変更している。
【００４２】
次に、ステップＳ０８において、変速時の仮想回転数をステップＳ０７で設定した変化特性で変化させて、当該仮想回転数に基づいてタコメータ３４に対する制御を行う。
【００４３】
次に、ステップＳ０９において、変速機構３２における変速動作が終了したか否かを判定する。変速動作が終了していないと判定された場合は、再度、ステップＳ０９に戻る。すなわち、ステップＳ０９においては、図３に示すように、変速が終了するまで待つ（ウェイト）。変速動作の終了は、エンジン回転数センサ２１、タービン回転数センサ２２、アクセル開度センサ２３、車速センサ２４及びレンジセンサ２５からの各出力信号のうちの少なくとも１つの信号によって判定することができる。変速動作が終了したと判定された場合は、次のステップＳ１０に進む。
【００４４】
次に、ステップＳ１０において、エンジン回転数センサ２１からの実エンジン回転数信号に基づき、タコメータ３４に対して非変速時の制御に復帰させる。
【００４５】
−効果−
以上より、本実施形態によれば、図３における変速時において、エンジン３１の負荷状況（車両状態）に応じて、実エンジン回転数と仮想回転数との差回転が所定範囲内に収まるように、仮想回転数の変化特性が変更される。これにより、自動変速機（変速機構）３２の変速時に実際のエンジン３１の変化音とエンジン回転数表示装置３４の表示の変化（針の動き）の違いから来るドライバの違和感を緩和することができる。
【００４６】
なお、本実施形態においては、車両の変速機構３２に対する変速動作（シフト動作）を、ギア比の値が大きいギアから小さいギアにシフトする、いわゆるアップシフトの場合を説明したが、これとは逆に、ギア比の値が小さいギアから大きいギアにシフトする、いわゆるダウンシフトの場合も、図３に示すグラフの向きが反転するだけで、同様に実施することができる。
【００４７】
（実施形態２）
以下、本発明の実施形態２に係る車両のエンジン回転数表示装置及びエンジン回転数表示方法について図面を参照しながら説明する。
【００４８】
実施形態２に係る車両のエンジン回転数表示装置は、図１に示す表示装置と同様である。実施形態１との相違点は、実施形態１では、断接要素が解放状態にある場合でも仮想回転数に基づくタコメータ制御を行い、実施形態２では、断接要素が解放状態にある場合には実エンジン回転数に基づくタコメータ制御を行う点である。
【００４９】
本実施形態に係る車両のエンジン回転数表示方法におけるフローチャート及びタイミングチャートについて図１、図４及び図５を参照しながら説明する。
【００５０】
図４は車両のエンジン回転数表示方法を表すフローチャートであり、図５はそのタイミングチャートである。
【００５１】
図４に示すように、まず、車両のイグニッションキースイッチをオン状態とすると、ステップＳ２１において、コントロールユニット１０は、各種センサ２１〜２６等からそれぞれの信号を読み込む。
【００５２】
次に、ステップＳ２２において、車速センサ２４からの車速検出信号によって、車両が走行中か否かを判定する。本実施形態においては、例えば、車速検出信号が１０ｋｍ／ｈ以上を示す場合を走行中と判定し、車速検出信号が１０ｋｍ／ｈ未満を示す場合を走行中でないと判定する。走行中でないと判定された場合は、ステップＳ３２において、エンジン回転数センサ２１からの実エンジン回転数信号に基づき、タコメータ３４に対して非変速時の制御を行う。また、車両が走行中と判定された場合は、次のステップＳ２３に進む。
【００５３】
次に、ステップＳ２３において、変速機構３２に対して変速指令が出力されたか否かを判定する。変速指令の有無は、アクセル操作又はマニュアル操作に従って、例えば、エンジン回転数センサ２１、タービン回転数センサ２２、アクセル開度センサ２３、車速センサ２４及びレンジセンサ２５からの各出力信号のうちの少なくとも１つの信号によって判定することができる。ここで、変速指令が出力されていないと判定された場合は、ステップＳ３２に進み、タコメータ３４に対して非変速時の制御を行う。また、変速指令が出力されていると判定された場合は、次のステップＳ２４に進む。
【００５４】
次に、ステップＳ２４において、変速機構３２における変速中の２つのフェーズであるトルクフェーズ及びイナーシャフェーズのうちのイナーシャフェーズが開始されたか否かを判定する。イナーシャフェーズが開始されていないと判定された場合は、再度、ステップＳ２４に戻る。すなわち、ステップＳ２４においては、図５に示すように、変速指令を受信した後のトルクフェーズからイナーシャフェーズが開始されるまで待つ（ウェイト）。イナーシャフェーズが開始されたという判定は、例えば、エンジン回転数センサ２１からのエンジン回転数検出信号が変速後の目標回転数に向けて変化を開始したか否かによって行うことができる。イナーシャフェーズが開始されたと判定された場合は、次のステップＳ２５に進む。なお、一変形例として、イナーシャフェーズの開始の判定は、ループによる所定時間のウェイトに代えて、該所定時間だけウェイトするタイマを設定してもよい。
【００５５】
次に、ステップＳ２５において、図５に示すように、メータコントロールユニット１３は、各変速に合わせて予め設定され、かつ、実エンジン回転数に依存しない仮想回転数に基づいてタコメータ３４に対する制御を開始する。なお、仮想回転数に基づくタコメータ制御はイナーシャフェーズの開始と同時に限られず、それよりも若干早いタイミングで開始してもよい。
【００５６】
次に、ステップＳ２６において、断接要素（ロックアップクラッチ３３）の締結度合いを判定する。当該締結度合いは、例えば、ロックアップクラッチ３３を駆動する図示しないソレノイドに対する制御信号から判定することができる。断接要素の締結度合いに応じてエンジン３１の負荷状況が変わり、それに応じて実エンジン回転数の変化特性も変わる。すなわち、断接要素の締結度合いが大きい又は完全に締結していれば、実エンジン回転数はタービン回転数に対してほぼ一定の差回転で変化する。これに対して、断接要素の締結度合いが小さい又は完全に解放していれば、図５に示したように、実エンジン回転数はタービン回転数の変化に対して緩慢に変化する。したがって、ステップＳ２６において断接要素の締結度合いを判定することで、実質的には、実エンジン回転数の変化特性を判定している。本実施形態におけるエンジン３１の負荷状況が、特許請求の範囲における車両状態に相当する。
【００５７】
なお、変速時のエンジン３１の負荷状況（車両状態）は、断接要素の締結度合いだけではなくその他の要因によっても変わり得る。例えば、ＡＴＦの粘性、ソレノイド弁温度、図示しないオルタネータやエアコンなどの補機の動作状態に応じて変わり得る。したがって、一変形例として、ステップＳ２６において、ＡＴＦ温度センサ２６からの温度検出信号や、図示しない補機の動作状態に応じて実エンジン回転数の変化特性を判定してもよい。
【００５８】
次に、ステップＳ２７において、断接要素（ロックアップクラッチ３３）が解放か否かを判定する。断接要素が解放状態にあると判定された場合は、ステップＳ３２に進み、タコメータ３４に対して非変速時の制御、すなわち、実エンジン回転数に基づく制御を行う。また、断接要素が解放状態にないと判定された場合は、ステップＳ２８に進む。
【００５９】
次に、ステップＳ２８において、断接要素の締結度合いに応じて仮想回転数の変化特性を設定する。具体的には、図５に示したように、変速時に実エンジン回転数と仮想回転数との差回転が所定範囲内に収まるように、仮想回転数の変化特性を変更（補正）する。図５の例では、緩慢に変化する実エンジン回転数に仮想回転数が近づくように、実エンジン回転数をフィードバックして仮想回転数を変更（補正）している。
【００６０】
次に、ステップＳ２９において、変速時の仮想回転数をステップＳ２８で設定した変化特性で変化させて、当該仮想回転数に基づいてタコメータ３４に対する制御を行う。
【００６１】
次に、ステップＳ３０において、変速機構３２における変速動作が終了したか否かを判定する。変速動作が終了していないと判定された場合は、再度、ステップＳ３０に戻る。すなわち、ステップＳ３０においては、図５に示すように、変速が終了するまで待つ（ウェイト）。変速動作の終了は、エンジン回転数センサ２１、タービン回転数センサ２２、アクセル開度センサ２３、車速センサ２４及びレンジセンサ２５からの各出力信号のうちの少なくとも１つの信号によって判定することができる。変速動作が終了したと判定された場合は、次のステップＳ３１に進む。
【００６２】
次に、ステップＳ３１において、エンジン回転数センサ２１からの実エンジン回転数信号に基づき、タコメータ３４に対して非変速時の制御に復帰させる。
【００６３】
−効果−
以上より、本実施形態によれば、断接要素（ロックアップクラッチ３３）が解放状態になる場合には、仮想回転数に代えて実エンジン回転数に基づいてタコメータ制御が行われる。これにより、自動変速機（変速機構）３２の変速時に実エンジン回転数の変化が特に緩慢となる場合においても、実際のエンジン３１の変化音とエンジン回転数表示装置３４の表示の変化（針の動き）の違いから来るドライバの違和感を緩和することができる。
【００６４】
なお、本実施形態においては、車両の変速機構３２に対する変速動作（シフト動作）を、ギア比の値が大きいギアから小さいギアにシフトする、いわゆるアップシフトの場合を説明したが、これとは逆に、ギア比の値が小さいギアから大きいギアにシフトする、いわゆるダウンシフトの場合も、図３に示すグラフの向きが反転するだけで、同様に実施することができる。
【産業上の利用可能性】
【００６５】
以上説明したように、本発明に係る車両のエンジン回転数表示装置及びその表示方法は、自動変速機の変速時に実際のエンジンの変化音とエンジン回転数表示装置の表示の変化（針の動き）の違いから来るドライバの違和感を緩和することが必要な用途等に適用することができる。
【符号の説明】
【００６６】
１０  コントロールユニット（制御装置）
１１  エンジンコントロールユニット
１２  ＡＴコントロールユニット
１３  メータコントロールユニット
２１  エンジン回転数センサ（エンジン回転数検出部）
２２  タービン回転数センサ
２３  アクセル開度センサ
２４  車速センサ
２５  レンジセンサ
２６  ＡＴＦ温度センサ
３１  エンジン
３２  変速機構（自動変速機）
３３  ロックアップクラッチ（断接要素）
３４  タコメータ（エンジン回転数表示部）
【図１】
2015161654.tif 000003
【図２】
2015161654.tif 000004
【図３】
2015161654.tif 000005
【図４】
2015161654.tif 000006
【図５】
2015161654.tif 000007